(57)【要約】【課題】  通常観察、及び各種特殊観察が既存の可視光用光源装置を用いて行える安価な内視鏡、及び照明用ケーブルを提供すること。【解決手段】  本発明の内視鏡は、被検部まで挿入される挿入部と、上記被検部を撮影する撮像手段と、該撮像手段などの各種操作を行う操作部と、該操作部から延出し、白色な照明光を発光する光源に接続され、該照明光を特殊光に変換する特殊光変換手段を備えた照明用ケーブルと、該照明用ケーブル、上記操作部、及び上記挿入部に配設され、上記光源からの上記照明光、及び変換された上記特殊光を伝送する照明伝送部材と、を備えたことを特徴とする。【選択図】      図３
2007236631.tif 000002
【特許請求の範囲】
【請求項１】
被検部まで挿入される挿入部と、
上記被検部を撮影する撮像手段と、
該撮像手段などの各種操作を行う操作部と、
該操作部から延出し、白色な照明光を発光する光源に接続され、該照明光を特殊光に変換する特殊光変換手段を備えた照明用ケーブルと、
該照明用ケーブル、上記操作部、及び上記挿入部に配設され、上記光源からの上記照明光、及び変換された上記特殊光を伝送する照明伝送部材と、
を備えたことを特徴とする内視鏡。
【請求項２】
さらに、上記操作部に配設され、上記照明部材に伝送された上記照明光、或いは上記特殊光の照射切換を行う照明光切換手段を備えたことを特徴とする請求項１に記載の内視鏡。
【請求項３】
上記特殊光変換手段は、上記光源からの上記照明光の入射端に配設されていることを特徴とする請求項１、又は請求項２に記載の内視鏡。
【請求項４】
上記特殊光変換手段は、上記照明部材の基端面となる入射面に配設されていることを特徴とする請求項３に記載の内視鏡。
【請求項５】
上記特殊光変換手段は、上記照明ケーブルにおける上記光源からの上記照明光の出射端に配設されていることを特徴とする請求項１、又は請求項２に記載の内視鏡。
【請求項６】
上記特殊光変換手段は、上記照明部材の先端面となる出射面に配設されていることを特徴とする請求項５に記載の内視鏡。
【請求項７】
内視鏡に接続される第１の接続部と、
白色な照明光を発光する光源に接続される第２の接続部と、
上記各接続部間に配設される上記照明光を伝送する照明伝送部材と、
上記照明光を特殊光に変換する特殊光変換手段と、
を備えたことを特徴とする照明用ケーブル。
【請求項８】
上記特殊光変換手段は、上記第１の接続部に配設されていることを特徴とする請求項７に記載の照明用ケーブル。
【請求項９】
上記特殊光変換手段は、上記照明部材の先端面となる出射面に配設されていることを特徴とする請求項８に記載の照明用ケーブル。
【請求項１０】
上記特殊光変換手段は、上記第２の接続部に配設されていることを特徴とする請求項７に記載の照明用ケーブル。
【請求項１１】
上記特殊光変換手段は、上記照明部材の基端面となる入射面に配設されていることを特徴とする請求項１０に記載の照明用ケーブル。
【発明の詳細な説明】
【技術分野】
【０００１】
本発明は、通常観察、及び特殊観察のための照明光の反射光により観察する内視鏡、及びその内視鏡の照明用ケーブルに関する。
【背景技術】
【０００２】
近年、内視鏡は、医療分野、及び工業分野において広く利用されている。これら内視鏡は、一般に細長な挿入部、撮像手段、照明手段などを有し、自然光の届かない体腔、配管などを検査するために用いられている。つまり、内視鏡は、自然光が届かない被検対象物に照明光を照らして撮影し、各種内視鏡検査を行うことができる。
【０００３】
このような内視鏡には、通常観察照明光である白色光により可視光を照明して、被検対象物を撮影するものが広く利用されているが、特に、医療用の内視鏡では、撮像する被検組織に照射される光の波長を利用した、種々の特殊光観察用内視鏡がある。
【０００４】
このような特殊光観察用内視鏡（単に内視鏡、蛍光撮像装置、或いは蛍光画像化用内視鏡ともいう）は、例えば、特許文献１〜特許文献４に開示されるように、可視光では特定できない被検部位の異変組織を発見する技術がある。この技術において、各種特殊観察照明光は、例えば、青色光によりＮＢＩ（Ｎａｒｒｏｗ  Ｂａｎｄ  Ｉｍａｇｉｎｇ：狭帯域画像）、赤外線による赤外線画像、或いは蛍光による蛍光画像を取得するための種々の照明光とするものが知られている。
【特許文献１】特開昭５−２７５７号公報
【特許文献２】特開２０００−７３０４号公報
【特許文献３】特表２００２−５００９０７号公報
【特許文献４】特開２００２−９５６３５号公報
【発明の開示】
【発明が解決しようとする課題】
【０００５】
しかしながら、上述の各特殊光観察用内視鏡は、各種特殊観察照明光フィルタを備えた光源装置が必要である。また、光源装置には、観察モードによって、通常観察照明光と各種特殊観察照明光を選択的に切換自在な切換フィルタを備えたものがある。
【０００６】
このように、特殊光観察用内視鏡には、特殊観察照明光専用の光源装置が必要とされる。しかし、新規に特殊光観察用内視鏡のシステムを導入する医療機関では、システム専用の光源装置も一緒に購入しなければならず、ユーザ側のコスト増大の原因となる問題がある。
【０００７】
また、通常観察照明光と特殊観察照明光を選択的に切換自在な光源装置は、内部構成が複雑、且つ大掛かりであり、装置自体が大きく、高価である。
【０００８】
これらにより、医療機関は、既存の可視光用光源装置と特殊観察照明光専用光源装置とを種々の内視鏡検査によって、使い分ける必要があるばかりでなく、夫々の光源装置の稼働率も悪くなると共に、複数の光源装置を保管するなどの医療施設のスペースが手狭になるという問題がある。
【０００９】
そこで、本発明は、上記問題に鑑みてなされたもので、通常観察、及び各種特殊観察が既存の可視光用光源装置を用いて行える安価な内視鏡、及び照明用ケーブルを提供することを目的とする。
【課題を解決するための手段】
【００１０】
上記目的を達成すべく、第１の発明の内視鏡は、被検部まで挿入される挿入部と、上記被検部を撮影する撮像手段と、該撮像手段などの各種操作を行う操作部と、該操作部から延出し、白色な照明光を発光する光源に接続され、該照明光を特殊光に変換する特殊光変換手段を備えた照明用ケーブルと、該照明用ケーブル、上記操作部、及び上記挿入部に配設され、上記光源からの上記照明光、及び変換された上記特殊光を伝送する照明伝送部材と、を備えたことを特徴とする。
【００１１】
また、第２の発明は、内視鏡に接続される第１の接続部と、白色な照明光を発光する光源に接続される第２の接続部と、上記各接続部間に配設される上記照明光を伝送する照明伝送部材と、上記照明光を特殊光に変換する特殊光変換手段と、を備えたことを特徴とする。
【発明の効果】
【００１２】
本発明によれば、通常観察、及び各種特殊観察が既存の可視光用光源装置を用いて行える安価な内視鏡、及び照明用ケーブルを提供することができる。
【発明を実施するための最良の形態】
【００１３】
以下、図面を参照して、本発明の内視鏡、及び照明用ケーブルに係る実施の形態について説明する。
【００１４】
（第１の実施の形態）
先ず、本発明に係る第１の実施の形態について説明する。図１〜図１５は、第１の実施の形態に係り、図１は内視鏡、及びこの内視鏡に接続される光源装置とビデオシステムセンタの構成を示す図、図２は内視鏡、及び光源装置の照明手段に係る内部構成を示すブロック図、図３は光源コネクタ部の光源接続部の断面図、図４はライトガイドバンドルの断面図、図５は図４のＶ−Ｖ線に沿った特殊光変換フィルタ部の断面図、図６は図４のＶＩ−ＶＩ線に沿った金属パイプ、及びライトガイドバンドルの断面図、図７は図４のＶＩＩ−ＶＩＩ線に沿ったライトガイドバンドルの断面図、図８は操作部の把持部に設けられる通常観察／特殊観察切換ダイヤル周辺構成を説明するための部分断面図、図９は図８のＩＸ−ＩＸ線に沿った通常観察／特殊観察切換ダイヤルの部分断面図、図１０は図８のＸ−Ｘ線に沿った回動支持管、及びライトガイドバンドルの端面を示す平面図、図１１〜図１４は通常観察／特殊観察切換ダイヤルの回動操作による作用説明のための図、図１５は第１変形例の通常観察／特殊観察切換グリップを示す操作部の図、図１６は第２変形例の内視鏡、及び光源装置の照明手段に係る内部構成を示すブロック図である。
【００１５】
図１に示すように、内視鏡１は、挿入部３と、この挿入部３の基端に接続される操作部４と、この操作部４から延設され、光源である光源装置２０、及びビデオシステムセンタ（ビデオプロセッサ、カメラコントロールユニットなどともいう）２１に接続される照明用ケーブルであるユニバーサルコード５と、を有している。
【００１６】
挿入部３は、先端から順に、対物レンズ、撮像素子などの撮像手段が配設された先端部３ａ、この先端部３ａが臨む方向を変化するため湾曲する湾曲部３ｂ、及び所定の可撓性を備えた可撓管部３ｃが連設された軟性のチューブ体である。操作部４は、先端から順に、可撓管部３ｃの基端が接続された折れ止め部６と、処置具挿通部７を備えた把持部４ａと、内視鏡機能である湾曲レバー８、送気、送水、吸引の操作、及び先端部３ａに設けられる撮像手段、照明手段などの各種光学系操作を行うための複数のスイッチ９が配設された主操作部４ｂと、上記把持部４ａに配設され、通常光観察、或いは特殊光観察を切換える照明光切換手段である通常観察／特殊観察切換ダイヤル（以下、説明の便宜のため、透遮光切換ダイヤルという）１２と、を有して構成されている。
【００１７】
ユニバーサルコード５の基端には、光源装置２０に接続される光源コネクタ部１０と、この光源コネクタ部１０から延出し、ビデオシステムセンタ２１に接続される電気コネクタ部１１が配設されている。光源コネクタ部１０には、光源装置２０の接続部へ挿入して装着される略円柱状のコネクタ端部である光源接続部１０ａが基端略中央から突設されている。
【００１８】
尚、本実施の形態の内視鏡１は、湾曲部３ｂが上下の２方向へ湾曲するタイプの内視鏡であり、操作部４に設けられた湾曲レバー８の回動操作によって、湾曲部３ｂが上下（ＵＰ−ＤＯＷＮ）に湾曲される。尚、内視鏡１は、湾曲部３ｂが上下のみの２方向に湾曲するタイプに限定されることなく左右を含めた４方向（上下左右の操作によっては、軸回りの全周方向）へ湾曲するタイプでも良い。
【００１９】
また、この内視鏡１は、処置具挿通部７から先端部３ａにかけて図示しない処置具チャンネルに各種処置具が挿通自在となっている。
【００２０】
次に、図２を用いて、光源装置２０にユニバーサルコード５を介して接続された内視鏡１内の照明用部材について説明する。  
内視鏡１は、挿入部３の先端からユニバーサルコード５の光源コネクタ部１０の基端部となる光源接続部１０ａにかけて無数のライトガイドファイバーが束ねられた照明伝送部材である２本のライトガイドバンドル１５，１６が挿通している。
【００２１】
これらライトガイドバンドル１５，１６の操作部４における中途部分には、後述する透過ガラス１７を備えた透遮光切換ダイヤル１２が遮光、或いは透過を切換えるために介装されている。また、光源接続部１０ａ内には、２本のライトガイドバンドル１５，１６の基端面に隣接する透過ガラス１８ａ、及び特殊光変換フィルタ１８ｂを備えた特殊光変換手段である特殊光変換フィルタ部１８が配設されている。その一方で、挿入部３の先端部３ａには、２本のライトガイドバンドル１５，１６の夫々の先端面に隣接する照明レンズ１５ｂ，１６ｂが配設されている。
【００２２】
つまり、光源装置２０内の白色光源部２０ａから照明光が照射されると、光源接続部１０ａの特殊光変換フィルタ部１８を介して、透過ガラス１８ａ側のライドガイドバンドル１５に白色光の照明光、及び特殊光変換フィルタ１８ｂ側の特殊光側ライトガイド１６に特殊光に変換された照明光が導光する。
【００２３】
これら白色光、及び特殊光の各照明光は、各ライトガイドバンドル（以下、単独の場合には通常光側ライトガイド１５、或いは特殊光側ライトガイド１６という場合もある）１５，１６を伝って、操作部４の透遮光切換ダイヤル１２まで導光する。この透遮光切換ダイヤル１２によって遮光された照明光（図２では特殊光側ライトガイド１６に導光する特殊光）が遮られ、透過ガラス１７側の通常光側ライトガイド（図２では符号１５）の照明光のみが挿入部３の先端側に導光する。そして、挿入部３の先端部３ａの先端面に配設される照明レンズ（図２では符号１５ｂ）から照明光（ここでは白色光）が照射される。
【００２４】
次に、上述したライトガイドバンドル１５，１６、これらライトガイドバンドル１５，１６の基端面と特殊光変換フィルタ部１８が配設される光源コネクタ部１０の光源接続部１０ａ、及び操作部４内のライトガイドバンドル１５，１６の中途部に配設される透遮光切換ダイヤル１２について、図３〜図１０を用いて詳しく説明する。
【００２５】
先ず、図３を用いて、光源コネクタ部１０の光源接続部１０ａについて説明する。  
図３に示すように、光源接続部１０ａは、光源コネクタ部１０の本体部から延設する金属からなる略筒状の根元管２３に金属性の略筒状の外装管２２が螺着され、外形が形成されている。これら根元管２３と外装管２２は、夫々の重畳部分にＯリング３１が介装して気密封止されている。
【００２６】
外装管２２の基端開口部分には、カバーガラス２４が配設されている。外装管２２内のカバーガラス２４の近傍には、金属からなる略円環状の留環２６が螺着されている。
【００２７】
カバーガラス２４と留環２６との間には、Ｏリング２５が介装している。これにより、カバーガラス２４が外装管２２の基端開口部に固定される。
【００２８】
また、根元管２３には、外装管２２の長手中心軸に沿ってロッドレンズ２７が位置決めされるように配設された、金属製の略筒状のライトガイド固定管２８が螺着されている。このライトガイド固定管２８は、先端部分の外周部に形成された段部が留環２６の基端面と当接することによって、外装管２２内の中央で位置決めされている。
【００２９】
また、ライトガイド固定管２８は、螺子ロック２９によって、各ライトガイドバンドル１５，１６の基端部分を被覆する金属パイプ３０を固定している。この金属パイプ３０の基端には、上述した特殊光変換フィルタ部１８が配設されている。
【００３０】
次に、図４〜図７を用いて、ライトガイドバンドル１５，１６について詳しく説明する。  
図４に示すように、通常光側ライトガイド１５は、合成樹脂からなる保護チューブ１５ａに被覆されている。同様に、特殊光側ライトガイド１６も、合成樹脂からなる保護チューブ１６ａに被覆されている。
【００３１】
これらライトガイドバンドル１５，１６は、夫々の基端部分が金属パイプ３０内に挿通している。また、各ライトガイドバンドル１５，１６の端面は、金属パイプ３０の端面と面位置が一致し、平面研磨されている。
【００３２】
この各ライトガイドバンドル１５，１６の端面部分が挿通する金属パイプ３０の基端部分には、特殊光変換フィルタ部１８のフィルタ固定環１８ｃが嵌着されている。尚、特殊光変換フィルタ部１８の透過ガラス１８ａと特殊光変換フィルタ１８ｂは、フィルタ固定環１８ｃに固着されている。
【００３３】
透過ガラス１８ａは、通常光側ライトガイド１５の基端面と対向する面が面接触し、その面形状が略半円形状（図５参照）であって、接触する上記基端面形状と略同一形状となっている。その一方で、特殊光変換フィルタ１８ｂは、特殊光側ライトガイド１６の基端面と対向する面が面接触し、その面形状が略半円形状（図５参照）であって、接触する上記基端面形状と略同一形状となっている。
【００３４】
従って、フィルタ固定環１８ｃは、各ライトガイドバンドル１５，１６の光源装置２０からの照明光の入射する夫々の基端面となる入射面が対応する透過ガラス１８ａ、或いは特殊光変換フィルタ１８ｂと面接触が一致するように金属パイプ３０の基端部分に嵌着される。すなわち、図６に示すように、各ライトガイドバンドル１５，１６は、金属パイプ３０内において、夫々が断面略半円形状となって収容された状態となっている。尚、透過ガラス１８ａは、光の屈折などの影響を加味して、各ライトガイドバンドル１５，１６と同一の材質から形成されている。
【００３５】
このように、本実施の形態においては、特殊光変換フィルタ部１８を含めて特殊光変換フィルタ１８ｂを光源コネクタ部１０の光源接続部１０ａ内に配設している。これは、カバーガラス２４に特殊光変換フィルタ１８ｂを設けることもできるが、光源接続部１０ａの端面となるカバーガラス２４を螺子留などにより固定するため、特殊光変換フィルタ１８ｂの位置決めが困難となり、組み立て性、及び精度向上のため、ライトガイドバンドル１５，１６の端面に面接触するように特殊光変換フィルタ１８ｂを配設する構造としている。
【００３６】
本実施の形態においては、略筒状の金属パイプ３０であるため、各ライトガイドバンドル１５，１６の収容断面状態が略半円状であるが、これに限ることなく、収容断面形状が円形、四角形など種々の形状としても良く、金属パイプ３０が略筒状である必要は無い。このとき、特殊光変換フィルタ部１８の透過ガラス１８ａと特殊光変換フィルタ１８ｂの接触面形状を各ライトガイドバンドル１５，１６の基端面形状と略同一にする必要がある。
【００３７】
金属パイプ３０の先端部分には、各ライトガイドバンドル１５，１６が夫々の保護チューブ１５ａ，１６ａと共に挿通する合成樹脂などから形成されたチューブ体３２の基端側となる一端部分が外周密着接続されている。
【００３８】
このチューブ体３２の先端側となる他端部分は、各保護チューブ１５ａ，１６ａと共に各ライトガイドバンドル１５，１６が挿通している金属性などからなる回動支持管３３に外周密着接続されている。この回動支持管３３は、その外周中途部分に外向フランジ３３ａを有している。また、各ライトガイドバンドル１５，１６の回動支持管３３における端面もまた、回動支持管３３の端面と面位置が一致し、平面研磨されている。
【００３９】
尚、各ライトガイドバンドル１５，１６は、金属パイプ３０、及び回動支持管３３に挿通している部分以外が保護チューブ１５ａ，１６ａと共に、ある程度の自由度が与えられた状態でチューブ体３２に挿通している（図７参照）。
【００４０】
また、このような構成のライトガイドバンドル１５，１６は、後述する透遮光切換ダイヤル１２を挟設して、挿入部３の先端部３ａまで延設されている。つまり、ライトガイドバンドル１５，１６に接続された回動支持管３３が透遮光切換ダイヤル１２の先端面において連設される。
【００４１】
上述では、内視鏡１のユニバーサルコード５からの回動支持管３３を先端側に有したライドガイドバンドル１５，１６についての説明をしたが、回動支持管３３を基端側に有するライトガイドバンドル１５，１６が挿入部３の先端部３ａまで延設されている。尚、図２に示したように、挿入部側のライトガイドバンドル１５，１６の先端には、照明レンズ１５ｂ，１６ｂが配設されている。
【００４２】
次に、図８〜図１０を用いて、操作部４の把持部４ａに配設された透遮光切換ダイヤル１２の周辺構造について説明する。
【００４３】
ライトガイドバンドル１５，１６は、図８に示すように、中途部分が上述の２つの回動支持管３３により分離されている。これら２つの回動支持管３３の各端面と面接触するように、透遮光切換ダイヤル１２が介装されている。
【００４４】
この透遮光切換ダイヤル１２は、硬質な部材からなる略円盤形状をしており、外周面部分に滑り止めの凹凸が刻設されるダイヤル部１２ａを有し、中央部に透過ガラス１７が配設されている。また、透遮光切換ダイヤル１２は、ダイヤル部１２ａの一部分が操作部４の把持部４ａから外部へ突出するように、操作部４の軸回り方向へ回動自在に設けられている。
【００４５】
詳述すると、透遮光切換ダイヤル１２の中央部分には、両面方向から円筒状の２つの凹部が形成されている。これら凹部の夫々には、回動支持管３３が挿入されている。
【００４６】
また、各回動支持管３３は、Ｌ字状の２つの固定部材３４に夫々対応する１つに挿通固定されている。尚、各回動支持管３３は、外向フランジ３３ａが複数の固定螺子３５によって各固定部材３４に固定されている。また、各固定部材３４は、把持部４ａの外装部の内面と固定螺子３６によって固定されている。
【００４７】
また、これら固定部材３４の対向面間には、透遮光切換ダイヤル１２がベアリング３７を介して回動自在に設けられている。この状態において、各回動支持管３３内の夫々のライトガイドバンドル１５，１６の端面（図９参照）は、透遮光切換ダイヤル１２の凹部底面１２ｃ（図１０参照）と面接触した状態となる。さらに、透遮光切換ダイヤル１２には、水密保持のための把持部４ａの外装部内面と接触するＯリング３８が設けられている。
【００４８】
このように構成された各ライトガイドバンドル１５，１６の中途に設けられた透遮光切換ダイヤル１２は、各ベアリング３７、及び各回動支持管３３に回動支持され、回動支持管３３の軸回りに回動自在となっている。
【００４９】
また、透遮光切換ダイヤル１２の略中央に配設される透過ガラス１７は、ライトガイドバンドル１５，１６と同一の部材で形成されており、図９に示すように、透光面が半円状に形成されている。尚、この透過ガラス１７の表面形状は、面接触する各ライトガイドバンドル１５，１６の端面形状と同一の形状となっている。
【００５０】
以上のように構成された本実施の形態の内視鏡１は、操作部４の把持部４ａに配設された透遮光切換ダイヤル１２が回動操作されることによって、各ライトガイドバンドル１５，１６に導光する照明光となる通常観察照明光、或いは特殊観察照明光を切換えることができる。
【００５１】
つまり、光源装置２０から発光される白色光である通常観察照明光は、ライトガイドバンドル１５，１６に導光する以前に、ユニバーサルコード５の光源コネクタ部１０の光源接続部１０ａに配設された特殊光変換フィルタ部１８（図２参照）によって、通常観察照明光、及び特殊観察照明光の２つの照明光に変換される。
【００５２】
詳述すると、白色光の通常観察照明光は、特殊光変換フィルタ部１８の透過ガラス１８ａを通過し、通常光側ライトガイド１５に照射されると共に、特殊光変換フィルタ部１８の特殊光変換フィルタ１８ｂを通過して特殊光側ライトガイド１６に照射される。
【００５３】
これらの各光は、夫々が各ライトガイドバンドル１５，１６内に導光され、操作部４の把持部４ａまで到達する。
【００５４】
このとき、図１１に示すように、例えば、透遮光切換ダイヤル１２の透過ガラス１７が通常光側ライトガイド１５に一致しているとき、通常観察照明光のみが挿入部３側の通常光側ライトガイド１５に透過ガラス１７を通過して照射される。その一方で、特殊観察照明光は、透遮光切換ダイヤル１２の凹部底面１２ｃによって、挿入部３側の特殊光側ライトガイド１６への照射が遮光される。
【００５５】
すなわち、特殊観察照明光は、透遮光切換ダイヤル１２の凹部底面１２ｃにより遮られ、この透遮光切換ダイヤル１２から先端方向にある特殊光側ライトガイド１６に導光されない。また、通常観察照明光は、透遮光切換ダイヤル１２の透過ガラス１７を介して、透遮光切換ダイヤル１２から先端方向にある通常光側ライトガイド１５に導光され、照明レンズ１５ｂから被見部位に照射される。
【００５６】
こうして、内視鏡１は、通常観察照明光によって、先端部３ａ内の撮像手段によって、通常の内視鏡像を取得することができる。この内視鏡像は、通常の可視光となる白色の通常観察照明光で捉えた像として、モニタなどの表示手段に表示される。
【００５７】
また、術者により、図１１の状態から、図１２、図１３、及び図１４まで状態となるように、透遮光切換ダイヤル１２が１８０度の回動操作がなされた場合、透遮光切換ダイヤル１２によって遮光されている特殊光側ライトガイド１６の特殊観察照明光が挿入部３側の特殊光側ライトガイド１６へ導光される。このとき、透遮光切換ダイヤル１２の透過ガラス１７が特殊光側ライトガイド１６に一致した状態である。
【００５８】
すなわち、通常観察照明光は、透遮光切換ダイヤル１２の凹部底面１２ｃにより遮られ、この透遮光切換ダイヤル１２から先端方向にある通常光側ライトガイド１５に導光されない。また、特殊観察照明光は、透遮光切換ダイヤル１２の透過ガラス１７を介して、透遮光切換ダイヤル１２から先端方向にある特殊光側ライトガイド１６に導光され、照明レンズ１６ｂから被見部位に照射される。
【００５９】
こうして、内視鏡１は、特殊観察照明光によって、先端部３ａ内の撮像手段によって、特殊な内視鏡像を取得することができる。この内視鏡像は、特殊観察照明光で捉えた像として、モニタなどの表示手段に表示される。尚、上述している特殊観察照明光は、例えば、青色光によりＮＢＩ（Ｎａｒｒｏｗ  Ｂａｎｄ  Ｉｍａｇｉｎｇ：狭帯域画像）、赤外線による赤外線画像、或いは蛍光による蛍光画像を取得するための種々の特殊照明光とすることができる。つまり、特殊光変換フィルタ部１８の特殊光変換フィルタ１８ｂを上述の種々の特殊照明光のうち、所望の特殊照明光に変換できるフィルタを用いることで、容易に各種特殊観察設定をすることができる。
【００６０】
以上の結果、本実施の形態の内視鏡１は、通常観察、及び各種特殊観察が透遮光切換ダイヤル１２の回動操作によって、容易に切換えられる。また、この内視鏡１は、既存の可視光用の光源装置２０を用いることができるため、特殊観察を行う医療施設にとって、特殊観察のための特別な光源装置を導入する必要が無いため、内視鏡システムのコスト的に多大な貢献をすることができる。
【００６１】
尚、上述した透遮光切換ダイヤル１２は、図１５に示すように、把持部４ａと折れ留め部６との境界部にグリップ状の通常観察／特殊観察切換グリップ（以下、透遮光切換グリップという）４０としても良い。この透遮光切換グリップ４０は、略円筒状で表面に滑り防止のため凹凸が形成されている。
【００６２】
この透遮光切換グリップ４０は、内部が上述の透遮光切換ダイヤル１２と同様な構成となっており、操作部４の軸回り（図中矢印Ａ方向）に回動自在となっている。術者は、この透遮光切換グリップ４０を１８０度の回動操作を行うことで、通常観察、及び各種特殊観察を切換えることができる。
【００６３】
また、図１６に示すように、透遮光切換ダイヤル１２は、その設置位置を操作部４の把持部４ａに限ることなく、例えば、操作部４とユニバーサルコード５との接続部分に設置するなど、挿入部３以外における内視鏡１のライトガイドバンドル１５，１６が挿通する如何なる位置でも良い。
【００６４】
（第２の実施の形態）
次に、本発明に係る第２の実施の形態について説明する。図１７〜図１９は、第２の実施の形態に係り、図１７は硬性内視鏡であるレゼクトスコープと、その内視鏡システムを示す全体構成図、図１８は照明用ケーブルであるライトガイドケーブルの内視鏡接続部を示す断面図、図１９はライトガイドケーブルの光源コネクタ部の基端部となる光源接続部を示す断面図である。
【００６５】
尚、本実施の形態において、上述の第１の実施の形態と同じ構成については同一の符号を用いて、それらの説明を省略し、異なる部分の説明のみとする。
【００６６】
先ず、図１を用いて、硬性内視鏡システムであるレゼクトスコープシステムの構成について説明する。  
図１に示すように高周波処置装置（硬性内視鏡）であるレゼクトスコープ１ａは細管状のシース４２と、このシース４２の後端に設けられた操作部４３と、この操作部４３よりシース４２内に挿入され、観察を行う光学視管４４と、高周波発生手段である高周波電源装置６１と、この高周波電源装置６１からの高周波電流が通電され、生体組織に処置を行う電極４５とから主に構成されている。
【００６７】
シース４２は、尿道、膣などより被検体の内部に挿入され、非導電性の先端部４６ａを有し、導電性の挿入部４６と、この挿入部４６の後端に設けられた本体部４７とからなる。この本体部４７には、挿入部４６内を通して体腔内に灌流液５１送水するための送水口４８がコック４９とともに設けられている。送水口４８は、容器５０内に入れられた生理的食塩水５１を供給する送液チューブ５２が着脱自在に接続される構成となっている。
【００６８】
一方、操作部４３はシース４２の本体部４７後端に着脱自在となるよう構成された操作部本体５４と、この操作部本体５４の後端に突設されたガイド軸５５と、このガイド軸５５に摺動自在に保持されたスライダ５６とを有している。
【００６９】
ガイド軸５５の後端にはストッパ５７が設けられており、このストッパ５７と操作部本体５４との間において、スライダ５６は、ガイド軸５５に沿って自在に往復摺動する。また、ガイド軸５５は、内部が中空構造となっている。光学視管４４は、ガイド軸５５内を挿通してシース４２内に挿入されるとともにストッパ５７へと着脱自在に接続固定されている。この光学視管４４は、使用者が直接覗き込んで内視鏡像を観察することもできるが、別体の図示しない撮像ユニットを接続して、第１の実施の形態で記載したビデオシステムセンタ２１（図１参照）を介して、図示しないモニタへ内視鏡像を表示させることができる。
【００７０】
スライダ５６には、電極４５を保持する保持部５８が設けられていると共に、電極４５に高周波電流を通電するための通電部５９が設けられている。この通電部５９は、スライダ５６に設けられたコネクタ６０と電気的に導通しており、コネクタ６０には高周波電源装置６１の出力コード６２先端に設けられた出力プラグ６３が着脱自在に接続固定されるようになっている。
【００７１】
この高周波電源装置６１には、電極４５へ高周波電流を供給操作及び高周波出力を制御するための切替えペダルを有するフットスイッチ４１が接続されている。
【００７２】
また、ストッパ５７には、使用者が手の親指を掛けるリング形状の指掛け部６４が設けられている。一方、スライダ５６には、使用者が手の人差し指から薬指又は小指までを掛けるレバー形伏の指掛け部６５が設けられており、これら指掛け部６４と指掛け部６５とがばね関節６６によって矢印Ｈ方向に付勢されつつ連結している。
【００７３】
そして、これらの指掛け部６４、６５が操作され、スライダ５６がガイド軸５５に沿って操作部本体５４方向（前方向）へとスライドされると、電極４５の先端電極部６７がシース４２の先端から突出するようになっている。また、逆にスライダ５６がストッパ方向（後方向）へと操作されると、電極４５の先端電極部６７は、シース４２の先端部４６ａに収納されるようになっている。
【００７４】
光学視管４４は、シース４２内に挿入される挿入部６８と、この挿入部６８の後端に設けられた接眼部６９とからなる。この接眼部６９の近傍には、光源装置２０に接続される照明用ケーブルであるライトガイドケーブル９０ａのコネクタ９０ｂが着脱自在に接続固定されるライトガイドコネクタ７３が設けられている。
【００７５】
光源装置２０より出力された照明光は、ライトガイドケーブル９０ａを介してライトガイドコネクタ７３へと導光され、更に挿入部６８に内装されたライトガイドバンドルによって挿入部先端７５へと導光され被検部位に出射される。
【００７６】
このように構成されたレゼクトスコープシステムは、上述したように、レゼクトスコープ１ａと光源装置２０に着脱自在な照明用ケーブルであるライトガイドケーブル９０ａによって、光源装置２０からの照明光をレゼクトスコープ１ａに供給する。
【００７７】
このライトガイドケーブル９０ａには、図１８に示すように、照明伝送部材であるライトガイドバンドル７７が挿通されている。また、このライトガイドバンドル７７の照明光の出射端が配設されるコネクタ９０ｂは、金属からなる略円環状の接続環８１と、この接続環８１内に先端部分が嵌合された略円環状のライトガイド保持環８２と、接続環８１の外周部に嵌着された外周面に凹凸の滑り止めが刻設されたグリップ環８３と、ライトガイド保持環８２の基端部分に螺着されるシース留環８４と、から構成されている。
【００７８】
ライトガイド保持環８２は、その中心軸に沿って孔部が形成されている。この孔部にライトガイドバンドル７７の先端部分が挿通固着されている。また、孔部の先端開口部には、ライトガイドバンドル７７の照明光の出射端に面接触する特殊光変換フィルタ７６が配設されている。尚、この特殊光変換手段である特殊光変換フィルタ７６は、第１の実施の形態と同様に、例えば、青色光によりＮＢＩ（Ｎａｒｒｏｗ  Ｂａｎｄ  Ｉｍａｇｉｎｇ：狭帯域画像）、赤外線による赤外線画像、或いは蛍光による蛍光画像を取得するための種々の特殊照明光をレゼクトスコープ１ａの挿入部６８に内装されたライトガイドバンドルに導光させるために選択的に変更が可能である。
【００７９】
尚、ライトガイドバンドル７７は、ライトガイド保持環８２から基端方向の部分に保護チューブ７７ａが被覆しており、ライトガイドケーブル９０ａの外形を形成するシース７８に挿通している。尚、シース７８は、その先端部分がライトガイド保持環８２の基端外周部を覆い、シース留環８４によって挟持固定されることで、コネクタ９０ｂと接続されている。
【００８０】
また、ライトガイドケーブル９０ａの基端部分は、第１の実施の形態で述べた光源コネクタ部１０と接続されている。尚、本実施の形態での光源コネクタ部１０の光源接続部１０ａは、従来のライトガイドケーブルと同様な構成となっている。
【００８１】
以上のように構成された本実施の形態のライトガイドケーブル９０ａが光源装置２０とレゼクトスコープ１ａに着脱自在であるため、ユーザは、コネクタ９０ｂ内の各種特殊光に変換する特殊光変換フィルタ７６を備えた夫々専用のライトガイドケーブル９０ａを準備しておけば、各種特殊光による内視鏡画像をライトガイドケーブル９０ａの付け替えのみで取得することができる。また、通常の内視鏡画像の場合は、従来のライトガイドケーブルを使用することで可能となる。
【００８２】
以上の結果、本実施の形態のライトガイドケーブル９０ａによれば、ユーザは、既存の光源装置２０、及び内視鏡システムの既存の内視鏡（ここでは、硬性内視鏡システムのレゼクトスコープ１ａ）を使用して、特殊観察照明光、例えば、青色光によりＮＢＩ（Ｎａｒｒｏｗ  Ｂａｎｄ  Ｉｍａｇｉｎｇ：狭帯域画像）、赤外線による赤外線画像、或いは蛍光による蛍光画像を取得するための種々の特殊照明光を被検部位に照射し、上記各種画像を取得することができる。
【００８３】
そのため、医療施設は、特殊光観察に必要な高価な光源装置２０、及び内視鏡システムを購入しなくとも、所望の特殊観察に必要な本実施の形態のライトガイドケーブル９０ａのみを購入するだけで良く、コスト低減が実現でき、さらには、特殊光観察に必要な各種機器を収容する院内スペースが必要ではなくなる。
【００８４】
尚、図１９に示すように、特殊光変換フィルタ７６ａは、ライトガイドバンドル７７の入射端に設けられても良い。詳しくは、ライトガイドケーブル９０ａの基端部となる光源コネクタ部１０の光源接続部１０ａ内にフィルタ固定環８５に保持固定された特殊光変換フィルタ７６ａがロッドレンズ２７とライトガイドバンドル７７の間に面接触するように配設されている。
【００８５】
フィルタ固定環８５は、第１の実施の形態の特殊光変換フィルタ部１８のフィルタ固定環１８ｃと同様に、金属パイプ３０に嵌着されている。つまり、このフィルタ固定環８５は、ライトガイドバンドル７７の基端面となる照明光の入射端面と同一の面形状をした特殊光変換フィルタ７６ａを保持して、ライトガイドバンドル７７の入射端面と特殊光変換フィルタ７６ａの先端面となる一面とが面接触するように、金属パイプ３０に接続される。
【００８６】
また、特殊光変換フィルタ７６ａの基端面となる他面は、各部材の組み付け時にロッドレンズ２７の略中央で突き当てられた状態で、ロッドレンズ２７の先端面である出射面と面接触している。
【００８７】
以上のように、上述した、特殊光変換手段である特殊光変換フィルタ７６，７６ａは、光源装置２０からの照明光が出射するライトガイドバンドル７７の先端面となる出射端面側、或いは上記照明光が入射するライトガイドバンドル７７の基端面となる入射端面側に配設されても良い。
【００８８】
尚、本実施の形態では、レゼクトスコープ１ａを例に挙げたが、各種硬性内視鏡、或いは軟性内視鏡にも勿論、適用可能である。
【００８９】
以上に記載した発明は、夫々の実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００９０】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００９１】
【図１】第１の実施の形態に係る内視鏡、及びこの内視鏡に接続される光源装置とビデオシステムセンタの構成を示す図。
【図２】同、内視鏡、及び光源装置の照明手段に係る内部構成を示すブロック図。
【図３】同、光源コネクタ部の光源接続部の断面図。
【図４】同、ライトガイドバンドルの断面図。
【図５】同、図４のＶ−Ｖ線に沿った特殊光変換フィルタ部の断面図。
【図６】同、図４のＶＩ−ＶＩ線に沿った金属パイプ、及びライトガイドバンドルの断面図。
【図７】同、図４のＶＩＩ−ＶＩＩ線に沿ったライトガイドバンドルの断面図。
【図８】同、操作部の把持部に設けられる通常観察／特殊観察切換ダイヤル周辺構成を説明するための部分断面図。
【図９】同、図８のＩＸ−ＩＸ線に沿った通常観察／特殊観察切換ダイヤルの部分断面図。
【図１０】同、図８のＸ−Ｘ線に沿った回動支持管、及びライトガイドバンドルの端面を示す平面図。
【図１１】同、通常観察／特殊観察切換ダイヤルの回動操作による作用説明のための図。
【図１２】同、通常観察／特殊観察切換ダイヤルの回動操作による作用説明のための図。
【図１３】同、通常観察／特殊観察切換ダイヤルの回動操作による作用説明のための図。
【図１４】同、通常観察／特殊観察切換ダイヤルの回動操作による作用説明のための図。
【図１５】同、第１変形例の通常観察／特殊観察切換グリップを示す操作部の図。
【図１６】同、第２変形例の内視鏡、及び光源装置の照明手段に係る内部構成を示すブロック図。
【図１７】第２の実施の形態に係る硬性内視鏡であるレゼクトスコープと、その内視鏡システムを示す全体構成図。
【図１８】同、照明用ケーブルであるライトガイドケーブルの内視鏡接続部を示す断面図。
【図１９】同、変形例であるライトガイドケーブルの光源コネクタ部の基端部となる光源接続部を示す断面図。
【符号の説明】
【００９２】
１ａ・・・レゼクトスコープ
１・・・内視鏡
３・・・挿入部
４・・・操作部
４ａ・・・把持部
５・・・ユニバーサルコード
１０・・・光源コネクタ部
１０ａ・・・光源接続部
１２・・・透遮光切換ダイヤル
１５・・・通常光側ライトガイド
１６・・・特殊光側ライトガイド
１７，１８ａ・・・透過ガラス
１８・・・特殊光変換フィルタ部
１８ｂ，７６，７６ｂ・・・特殊光変換フィルタ
２０・・・光源装置
２０ａ・・・白色光源部
４０・・・透遮光切換グリップ
９０ａ・・・ライトガイドケーブル
９０ｂ・・・コネクタ
７７・・・ライトガイドバンドル
【図１】
2007236631.tif 000003
【図２】
2007236631.tif 000004
【図３】
2007236631.tif 000005
【図４】
2007236631.tif 000006
【図５】
2007236631.tif 000007
【図６】
2007236631.tif 000008
【図７】
2007236631.tif 000009
【図８】
2007236631.tif 000010
【図９】
2007236631.tif 000011
【図１０】
2007236631.tif 000012
【図１１】
2007236631.tif 000013
【図１２】
2007236631.tif 000014
【図１３】
2007236631.tif 000015
【図１４】
2007236631.tif 000016
【図１５】
2007236631.tif 000017
【図１６】
2007236631.tif 000018
【図１７】
2007236631.tif 000019
【図１８】
2007236631.tif 000020
【図１９】
2007236631.tif 000021